(57)【要約】【課題】  短期間で効率よくＩＣカードを発行でき、かつ、申込者がＩＣカードの受け取り場所を任意に指定できるＩＣカード発行システムを提供する。【解決手段】 カード申込者５が申込書５０に記入したＩＣカード５１を受取る場所を意味する情報は、クレジット入会端末１０に入力され、クレジットサーバ２０を経由してＩＣカードデータサーバ３０に送信される。ＩＣカードデータサーバ３０で生成されたＩＣカード５１の発行データは、クレジット入会端末１０とは異なる場所に設置され、ＩＣカード５１を受取る場所を意味する情報から特定されるＩＣカード発行装置４０に送信される。そして、ＩＣカード発行装置４０でＩＣカード５１は発行された後、利用者が希望する場所でカード申込者５１に渡される。【選択図】      図１
2006146449.tif 000002
【特許請求の範囲】
【請求項１】
ＩＣカードの発行を指示するＩＣカード発行指示サーバと、前記ＩＣカードの発行情報を生成するＩＣカードデータサーバと、前記ＩＣカードを発行するＩＣカード発行装置とを備えたＩＣカード発行システムであって、
前記ＩＣカード発行指示サーバ、前記ＩＣカードデータサーバおよび前記ＩＣカード発行装置は、それぞれネットワークを介して接続され、
前記ＩＣカード発行指示サーバは、カード申込者がＩＣカードを受け取る場所を意味する情報であるカード受取り情報を含み、カード申込者がＩＣカードの発行を申込んだ情報であるカード申込情報が入力される端末と、前記端末で入力された前記カード申込情報に基づいてＩＣカードの発行内容を指示する情報であるＩＣカード発行指示情報を生成するＩＣカード発行指示情報生成部とを有し、
前記ＩＣカードデータサーバは、前記ＩＣカード発行指示サーバから送信された前記ＩＣカード発行指示情報に基づいて、前記ＩＣカードに書き込まれる情報を含むＩＣカード発行情報を生成するＩＣカード発行情報生成部と、前記カード受取り情報に基づいて前記ＩＣカード発行情報を送信する前記ＩＣカード発行装置を特定し、特定したＩＣカード発行装置に前記ＩＣカード発行情報を送信するＩＣカード発行情報送信部とを有し、
前記ＩＣカード発行装置は、前記ＩＣカードデータサーバから送信された前記ＩＣカード発行情報に基づいてＩＣカードを発行するＩＣカード発行部とを有していることを特徴とするＩＣカード発行システム。
【請求項２】
請求項１に記載のＩＣカード発行システムにおいて、前記ＩＣカード発行情報には前記カード申込者の住所・氏名を示す情報を含むことを特徴とするＩＣカード発行システム。
【請求項３】
カード申込者がＩＣカードを受取る場所を指定できるＩＣカード発行方法であって、
カード申込者にＩＣカードが受け渡される場所を示す情報であるカード受渡し情報を含むＩＣカード発行指示情報を生成するステップと、
前記ＩＣカード発行指示情報に基づいて、ＩＣカードに書き込まれる情報を含むＩＣカード発行情報を生成するステップと、
ネットワークを介して、前記カード受渡し情報から特定されるＩＣカード発行装置に前記ＩＣカード発行情報が送信されるステップと、
前記ＩＣカード発行装置が前記ＩＣカード発行情報に基づいてＩＣカードを発行するステップとを有することを特徴とするＩＣカード発行方法。
【発明の詳細な説明】
【技術分野】
【０００１】
本発明は、ＩＣカードを発行するＩＣカード発行システムおよび方法に関し、更に詳しくは、カード申込者がＩＣカードの受取り場所を指定できるＩＣカード発行システムおよび方法に関する。
【背景技術】
【０００２】
近年、クレジットカードを中心としたＩＣカード市場の急成長と、インターネット等のネットワークを利用したデータ通信技術の急成長を受けて、セキュリティを保ちつつ、短期間で効率よくＩＣカードを発行できることが望まれている。
【０００３】
特許文献１で開示されているＩＣカード発行システムは、上述した要求を解決する一つの発明で、ＰＫＩ（Public Key Infrastructure）を利用することで、公開鍵暗号化式の暗号化・署名機能を有するＩＣカードを自動かつ短期間でカード申込者に発行できるＩＣカード発行システムである。
【特許文献１】特開平１１−２１９４１２号公報
【発明の開示】
【発明が解決しようとする課題】
【０００４】
しかしながら、特許文献１で開示されているＩＣカード発行システムも含め、従来のＩＣカード発行システムにおいては、ＩＣカードを受け取る場所は、ＩＣカードの発行を申し込む場所と同じ場所もしくは郵送の二者択一しかできない問題があった。ＩＣカードを受け取る場所がＩＣカードの発行を申し込んだ場所と同じ場所であると、カード申込者はＩＣカードを受け取るために、ＩＣカードが発行されている間は、ＩＣカードの発行を申し込んだ場所もしくはその場所近辺に居なければならない。例えば、急な出張でＩＣカード（例えば、クレジットカード）が必要になった場合は、カード申込者には時間的な余裕がなく、ＩＣカードが発行されている間、ＩＣカードの発行を申し込んだ場所もしくはその場所近辺に居ることができないときがある。また、ＩＣカードの受け渡しを郵送にすると、郵送するには数日の時間が必要になるため、急な出張でＩＣカードが必要になった場合は対応が取れない。
【０００５】
そこで本発明は、上述した問題を鑑みて、短期間で効率よくＩＣカードを発行できるＩＣカード発行システムにおいて、カード申込者がＩＣカードの受け取り場所を任意に指定できるＩＣカード発行システムおよびＩＣカード発行方法を提供することを目的とする。
【課題を解決するための手段】
【０００６】
上述した問題を解決する第１の発明は、ＩＣカードの発行を指示するＩＣカード発行指示サーバと、前記ＩＣカードの発行情報を生成するＩＣカードデータサーバと、前記ＩＣカードを発行するＩＣカード発行装置とを備えたＩＣカード発行システムであって、前記ＩＣカード発行指示サーバ、前記ＩＣカードデータサーバおよび前記ＩＣカード発行装置は、それぞれネットワークを介して接続され、前記ＩＣカード発行指示サーバは、カード申込者がＩＣカードを受け取る場所を意味する情報であるカード受取り情報を含み、カード申込者がＩＣカードの発行を申込んだ情報であるカード申込情報が入力される端末と、前記端末で入力された前記カード申込情報に基づいてＩＣカードの発行内容を指示する情報であるＩＣカード発行指示情報を生成するＩＣカード発行指示情報生成部とを有し、前記ＩＣカードデータサーバは、前記ＩＣカード発行指示サーバから送信された前記ＩＣカード発行指示情報に基づいて、前記ＩＣカードに書き込まれる情報を含むＩＣカード発行情報を生成するＩＣカード発行情報生成部と、前記カード受取り情報に基づいて前記ＩＣカード発行情報を送信する前記ＩＣカード発行装置を特定し、特定したＩＣカード発行装置に前記ＩＣカード発行情報を送信するＩＣカード発行情報送信部とを有し、前記ＩＣカード発行装置は、前記ＩＣカードデータサーバから送信された前記ＩＣカード発行情報に基づいてＩＣカードを発行するＩＣカード発行部とを有していることを特徴とするＩＣカード発行システムである。なお、前記ＩＣカード発行情報には前記カード申込者の住所・氏名を示す情報が含まれることが望ましい。
【０００７】
第１の発明によれば、前記ＩＣカードデータサーバが前記ＩＣカード発行情報送信部を備えることで、カード申込者が指定した場所から特定される前記ＩＣカード発行装置に、前記ＩＣカードデータサーバが生成した前記ＩＣカード発行情報が送信されるため、カード申込者は指定した場所でＩＣカードを受け取ることができる。なお、前記ＩＣカード発行情報に前記カード申込者の住所を示す住所情報を含ませることで、指定した場所にカード申込者が訪れることができなくても、発行されたＩＣカードをカード申込者に郵送で送付できる。
【０００８】
更に、第２の発明は、カード申込者がＩＣカードを受取る場所を指定できるＩＣカード発行方法であって、カード申込者にＩＣカードが受け渡される場所を示す情報であるカード受渡し情報を含むＩＣカード発行指示情報が生成されるステップと、前記ＩＣカード発行指示情報に基づいて、ＩＣカードに書き込まれる情報を含むＩＣカード発行情報が生成を生成するステップと、ネットワークを介して、前記カード受渡し情報から特定されるＩＣカード発行装置に前記ＩＣカード発行情報が送信されるステップと、前記ＩＣカード発行装置が前記ＩＣカード発行情報に基づいてＩＣカードを発行するステップとを有することを特徴とするＩＣカード発行方法である。なお、前記ＩＣカード発行情報には前記カード申込者の住所・氏名を示す情報が含まれることが望ましい。
【発明の効果】
【０００９】
上述した本発明によれば、カード申込者が指定した場所もしくはその近傍でＩＣカードが発行されるため、カード申込者は自分が指定した場所でＩＣカードを受取ることができる。また、前記ＩＣカード発行情報の通信にネットワークを利用することで、短期間で効率よくＩＣカードを発行できる。
【発明を実施するための最良の形態】
【００１０】
＜＜＜ＩＣカード発行システム＞＞＞
ここから、本発明に係わるＩＣカード発行システムをクレジットカードの発行業務に適用した実施の形態を、図１、２を参照しながら詳細に説明する。図１はＩＣカード発行システムを説明する図、図２はＩＣカードの発行プロセスを説明する図である。
【００１１】
図１に示したように、ＩＣカード発行システムは、カード申込者５がクレジットＩＣカード５１（以下、ＩＣカードと略す）の発行を申し込むために訪れるサービスカウンター１（ここでは、場所は東京）に設置されたクレジット入会端末１０と、クレジット会社２に設置されたクレジットサーバ２０と、ＩＣカード製造会社３に設置されたＩＣカードデータサーバ３０と、カード申込者５がＩＣカード５１を受け取るために訪れるサービスカウンター４（ここでは、場所は大阪）に設置されたＩＣカード発行装置４０とから構成され、それぞの構成要素はネットワーク６で接続されている。
【００１２】
ここで、ネットワーク６はセキュリティを確保するために専用回線としているが、セキュリティを確保できればインターネットでもよく、電話回線網、携帯電話回線網またはＬＡＮ（Local Area Network）等の異なる通信網を組み合わせたネットワークでもよい。
【００１３】
ここから、図２を参照しながら発行プロセスについて詳細に説明すると共に、図１に示した各構成要素についても詳細に説明する。
【００１４】
東京サービスカウンター１に設置されるクレジット入会端末１０は、本発明に係わる端末として機能し、ネットワーク６を介して、カード申込者５のクレジット申込み情報をクレジットサーバに送信する。カード申込者５は、ＩＣカード５１の発行を申し込むために東京サービスカウンター１を訪れ、クレジットの入会申込書５０に必要なクレジット申込データを記入する（Ｐ１０）。カード申込者５が申込書５０に記入したクレジット申込データは、東京サービスカウンター１のオペレータによって、クレジット入会端末１０に入力され、クレジット入力端末１０からクレジットサーバ２０にネットワーク６を経由して送信される（Ｐ１１）。
【００１５】
カード申込者５が申込書に記入するクレジット申込データとしては、カード申込者５の信用を審査するための信用情報（例えば、住所、氏名、年齢、銀行の口座番号等）に加えて、カード申込者５がＩＣカード５１を受け取る場所（例えば、サービスカウンターの所在地）を示すカード受渡しデータが含まれる。
【００１６】
クレジット会社２に設置されるクレジットサーバ２０は、本発明に係わるＩＣカード発行指示サーバとして機能し、カード申込者５の信用を審査する入会審査部２１と、クレジットデータを発行するクレジットデータ生成部２２とを備えている。ここで入会審査部２１とは、カード申込者５の信用情報（例えば、カード申込者５の年齢、過去のクレジットの利用実績など）を調査した上で、ＩＣカード５１発行の可否を判断する機能を有している。カード申込者５の信用情報が、クレジット会社２が設定した基準を満足していれば、カード申込者５に対してＩＣカード５１の発行が許可される（Ｐ１２）。
【００１７】
カード申込者５に対してＩＣカード５１の発行が許可されると、クレジットサーバ２０は、クレジットデータ生成部２２でクレジットデータを生成する。クレジットデータ生成部２２で生成されるクレジットデータはＩＣカードを発行するときの基礎データで、ＩＣカード表面にエンボスされるカード申込者５の氏名やカード番号や有効期限などである（Ｐ１３）。そして、クレジット会社２はＩＣカード製造会社３にＩＣカードの発行を指示するＩＣカード発行指示情報として、カード受渡しデータとクレジットデータを、ネットワーク６を介して、ＩＣカード製造会社３に設置されたＩＣカードデータサーバ３０に送信する（Ｐ１４）。
【００１８】
ＩＣカード製造会社３に設置されたＩＣカードデータサーバ３０は、ＩＣカード５１のＩＣカード発行データを生成するＩＣカード発行データ生成部３１と、ネットワーク６を用いて他のサーバとのデータ通信を管理する機能を有するゲートウェイ部３２とを備えている。
【００１９】
ゲートウェイ部３２とは、本発明係わるデータ送信部として機能し、ネットワーク６を介してデータ通信する他の通信機器（図１ではクレジットサーバ２０、ＩＣカード発行装置４０）とのプロトコルの違いなどを調整して、ネットワーク６を利用したデータ通信を可能する。また、ゲートウェイ部３２はアドレス情報データベース３３を有している。アドレス情報データベース３３には、カード受渡しデータをキー情報として、ＩＣカード発行装置４０のネットワーク６上のアドレス情報が記憶されている。
【００２０】
ＩＣカードデータサーバ３０は、クレジットサーバ２０からＩＣカード発行指示情報（ここでは、カード受渡しデータとクレジットデータ）を受信すると、ＩＣカード発行データ生成部３１を用いてＩＣカード５１に書き込むデータを含むＩＣカード発行データを生成する（Ｐ１５）。そして、ゲートウェイ部３２は、生成したＩＣカード発行データを送信するＩＣカード発行装置のネットワーク６上のアドレス情報を、カード受渡しデータをキー情報として、アドレス情報データベース３３から探索し（Ｐ１６）、探索したアドレス情報で特定されるＩＣカード発行装置（ここでは、大阪サービスカウンター４に設置されたＩＣカード発行装置４０）に生成したＩＣカード発行データを送信する（Ｐ１７）。
【００２１】
大阪サービスカウンター４に設置されたＩＣカード発行装置４０は、ネットワーク６を介して、ＩＣカード発行データを受信するデータ受信部４１と、受信したＩＣカード発行データに基づいてＩＣカード５１を発行するＩＣカード発行部４２とを備えている。ＩＣカード発行装置４０に備えられたデータ受信部４１がＩＣカードデータサーバ３０からＩＣカード発行データを受信すると、受信したＩＣカード発行データをＩＣカード発行部４２に転送し、ＩＣカード発行部４２はＩＣカード発行データに基づいてＩＣカード５１を発行する（Ｐ１８）。ここで、ＩＣカード発行装置４０に備えられたデータ受信部４１とＩＣカード発行部４２とは、別々な場所に設置されていてもよい。例えば、データ受信部４１をデータ受信する専用のサーバとし、ネットワーク等を利用し、前記サーバで受信したデータをＩＣカード発行部４２に送信する構成でも実現できる。
【００２２】
そして、ＩＣカード発行装置４０に発行されたＩＣカード５１は、カード申込者５が大阪サービスカウンター４に訪問したとき、カード申込者５の本人確認を行った後に、カード申込者５へと渡される。
【００２３】
なお、本実施の形態においては、ＩＣカードデータサーバ３０からＩＣカード発行装置４０に送信されるＩＣカード発行データには、カード申込者５の住所・氏名を含ませることが望ましい。ＩＣカード発行データにカード申込者５の住所・氏名を含ませることで、カード申込者５がＩＣカード５１を受け取る場所（図１では大阪サービスカウンター４）にカード申込者５が訪れることができなくなった場合でも、カード申込者５に発行したＩＣカード５１を速やかに郵送で送付することができる。ＩＣカード発行データにカード申込者５の住所・氏名を含ませるためには、クレジット入会端末１０からクレジットサーバ２０に送信するカード受渡しデータに、カード申込者５が申込書５０に記入したカード申込者５の住所情報・氏名情報を含ませればよい。
【００２４】
また、本実施の形態においては、本発明の内容を明確にすべく、ネットワーク６に流れるデータ（例えば、クレジットデータやＩＣカード発行データ）を暗号化していないが、ネットワーク上の脅威（例えば、ネットワーク上からのデータ漏洩）を回避するために、ＰＫＩ（Public Key Infrastructure）を利用して、ネットワーク６上に流れるデータは暗号化されることが望ましい。
【００２５】
＜＜＜ＩＣカード発行方法＞＞＞
ここから、本発明に係わるＩＣカード発行方法について、図を参照しながら詳細に説明する。図３はＩＣカード発行方法の手順を示したフロー図である。ＩＣカード発行方法の最初のステップは、カード申込者がＩＣカードの発行を申し込むステップ（Ｓ１０）である。図１においては、カード申込者５が東京サービスカウンター１でＩＣカード５１の発行が申し込まれる。
【００２６】
次のステップは、カード申込者がＩＣカードを受取る場所を示すカード受渡しデータを入力するステップ（Ｓ２０）である。図１においては、東京サービスカウンター１でカード申込者５が記入する申込書５０にＩＣカードの受渡し場所に関する情報が記入され、記入された前記情報は、カード受渡しデータとしてクレジット入会端末１０に入力される。
【００２７】
次のステップは、カード受渡しデータを含み、ＩＣカードの発行内容示すＩＣカード発行指示情報が生成されるステップ（Ｓ３０）である。図１においては、カード受渡しデータおよびクレジット申込データが、東京サービスカウンター１からクレジット会社２へ送信され、クレジットサーバ２０にてクレジット申込データに基づいてクレジットデータが生成され、ＩＣカード発行指示情報としてカード受渡しデータおよびクレジットデータが、クレジットサーバ２０からＩＣカード製造会社３に送信される。
【００２８】
次のステップは、ＩＣカード発行データを生成するステップ（Ｓ４０）である。図１においては、ＩＣカード発行指示情報に含まれるクレジットデータに基づいて、ＩＣカードデータサーバ３０に備えられたＩＣカード発行データ生成部３１がＩＣカード発行データを生成する。
【００２９】
次のステップは、ネットワークを介してＩＣカード発行データを送信するＩＣカード発行装置のネットワーク上のアドレス情報を取得するステップ（Ｓ５０）である。図１においては、ＩＣカードデータサーバ３０に備えられたゲートウェイ部３２が、カード受渡しデータをキー情報として、アドレス情報データベース３３から、ＩＣカード発行データを送信するＩＣカード発行装置４０のネットワーク６上のアドレス情報を抽出する。
【００３０】
次のステップは、ＩＣカード発行データを送信し、カード受渡しデータで特定されるＩＣカード発行装置でＩＣカードが発行されるステップ（Ｓ６０）である。図１においては、ゲートウェイ部３２は、抽出したネットワーク６上のアドレス情報で特定されるＩＣカード発行装置（図１では大阪のサービスカウンター４に設置されたＩＣカード発行装置４０）にＩＣカード発行データを送信し、ＩＣカード５１が発行される。
【００３１】
次のステップは、発行されたＩＣカードが、カード申込者に受渡されるステップ（Ｓ７０）である。図１においては、カード申込者５が大阪サービスカウンター４を訪れ、本人確認を実施した後に、ＩＣカード発行装置４０で発行されたＩＣカード５１はカード申込者５に受渡しされる。ステップ７０を持って、本発明に係わるＩＣカード発行方法の手順は終了する。
【図面の簡単な説明】
【００３２】
【図１】ＩＣカード発行システムの説明図。
【図２】ＩＣカードの発行プロセスの説明図。
【図３】ＩＣカード発行方法の手順を示したフロー図。
【符号の説明】
【００３３】
１、４  サービスカウンター
１０    クレジット入会端末
２      クレジット会社
２０    クレジットサーバ
３      ＩＣカード製造会社
３０    ＩＣカードデータサーバ
３１    ＩＣカード発行データ生成部
３２    ゲートウェイ部
３３    アドレス情報データベース
４０    ＩＣカード発行装置
５      カード申込者
５０    申込書
５１    ＩＣカード
６      ネットワーク
【図１】
2006146449.tif 000003
【図２】
2006146449.tif 000004
【図３】
2006146449.tif 000005